【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
所定条件を満たす複数のユーザを獲得するステップ（１０１，２０１）と；
前記複数のユーザ間の関連強さと、前記複数のユーザの影響とに基づいて、所定情報のプッシュ先であるユーザを、前記複数のユーザの中から選択するステップ（１０２）であって、
前記複数のユーザ間の前記関連強さに基づいて、前記複数のユーザを種々の関連コミュニティに分類するステップであって、各関連コミュニティに格納されているユーザ間の関連強さは所定閾値よりも高い、前記分類するステップ（２０２）と、
前記種々の関連コミュニティから、所定の影響条件を満たす影響を持つユーザを個別に選択するステップ（２０３）と、
前記所定の影響条件を満たす影響を持つ前記ユーザを、所定情報のプッシュ先であるユーザとして特定するステップ（２０４）とを備える、前記選択するステップと；
所定情報のプッシュ先である前記ユーザに情報をプッシュするステップ（１０３，２０５）と；を備える、
情報をプッシュする方法。
【請求項２】
前記複数のユーザ間の前記関連強さに基づいて、前記複数のユーザを種々の関連コミュニティに分類する前記ステップの前に：
前記複数のユーザの初期関連コミュニティラベルを入手するステップ；を更に備え、
前記複数のユーザ間の前記関連強さに基づいて、前記複数のユーザを種々の関連コミュニティに分類する前記ステップは：
前記複数のユーザにおける各ユーザの前記初期関連コミュニティラベルを、前記ユーザとの関連強さが前記所定閾値よりも高い或るユーザの関連コミュニティラベルへ更新するステップと；
前記複数のユーザのうち同じ関連コミュニティラベルを持つユーザを、同じ関連コミュニティに分類するステップと；を備える、
請求項１に記載の情報をプッシュする方法。
【請求項３】
前記複数のユーザのうち同じ関連コミュニティラベルを持つユーザを、同じ関連コミュニティに分類する前記ステップの前に：
前記ユーザの関連コミュニティラベル更新カウントを入手するステップと；
前記ユーザの前記関連コミュニティラベル更新カウントが所定のカウント閾値よりも高いかどうかを特定するステップと；を更に備え、
前記複数のユーザのうち同じ関連コミュニティラベルを持つユーザを、同じ関連コミュニティに分類する前記ステップは：
前記ユーザの前記関連コミュニティラベル更新カウントが前記所定のカウント閾値よりも高い場合に、前記複数のユーザのうち同じ関連コミュニティラベルを持つユーザを、前記同じ関連コミュニティに分類するステップ；を備える、
請求項２に記載の情報をプッシュする方法。
【請求項４】
前記複数のユーザのうちの前記ユーザの前記関連コミュニティラベル更新カウントが所定のカウント閾値よりも高いかどうかを特定する前記ステップの後に：
前記ユーザの前記関連コミュニティラベル更新カウントが前記所定のカウント閾値より低い又は等しい場合に、前記ユーザの前記関連コミュニティラベルを、前記ユーザとの関連強さが前記所定閾値よりも高い或るユーザの関連コミュニティラベルへ更新するステップ；を更に備える、
請求項３に記載の情報をプッシュする方法。
【請求項５】
前記影響が影響指数情報を備え、
前記種々の関連コミュニティから、所定の影響条件を満たす影響を持つユーザを個別に選択する前記ステップは：
前記種々の関連コミュニティから、所定の影響指数より高い又は等しい影響指数を持つユーザを個別に選択するステップを備える、
請求項１に記載の情報をプッシュする方法。
【請求項６】
請求項１乃至請求項５のいずれか１項に記載の方法に従って操作を実行するように構成された、複数のユニットを備える、
情報をプッシュするデバイス。
【請求項７】
所定情報のプッシュ先であるターゲットユーザを特定する方法であって、
所定条件を満たす複数のユーザを獲得するステップと；
前記複数のユーザにそれぞれ対応する影響に基づいて、所定の影響条件を満たす影響を持つユーザを、前記複数のユーザの中から選択するステップであって、
所定の影響レベルテーブルと前記複数のユーザにそれぞれ対応する前記影響とに基づいて、前記複数のユーザの影響レベルを特定するステップであって、前記所定の影響レベルテーブルは、種々の影響レベルにそれぞれ対応する影響閾値インターバルを格納する、前記特定するステップと、
前記複数のユーザ間の関連強さに基づいて、前記複数のユーザを種々の関連コミュニティに分類するステップであって、各関連コミュニティに格納されているユーザ間の関連強さは所定閾値よりも高い、前記分類するステップと、
前記種々の関連コミュニティ内で所定レベルより高い又は等しい影響レベルを持つユーザを、所定の影響条件を満たす影響を持つユーザとして特定するステップとを備える、前記選択するステップと；
前記所定の影響条件を満たす影響を持つ前記ユーザを、ターゲットユーザとして特定するステップと；を備える、
ターゲットユーザを特定する方法。
【請求項８】
所定条件を満たす複数のユーザを獲得する前記ステップの前に：
種々の影響レベルと種々の影響閾値インターバルとの間にマッピング関係を確立するステップと；
前記マッピング関係を、前記所定の影響レベルテーブルに格納するステップと；を更に備える、
請求項７に記載のターゲットユーザを特定する方法。
【請求項９】
前記複数のユーザ間の関連強さに基づいて、前記複数のユーザを種々の関連コミュニティに分類する前記ステップの前に：
前記複数のユーザの初期関連コミュニティラベルを入手するステップ；を更に備え、
前記複数のユーザ間の関連強さに基づいて、前記複数のユーザを種々の関連コミュニティに分類する前記ステップは： 
前記複数のユーザにおける各ユーザの前記初期関連コミュニティラベルを、前記ユーザとの関連強さが前記所定閾値よりも高い或るユーザの関連コミュニティラベルへ更新するステップと；
前記複数のユーザのうち同じ関連コミュニティラベルを持つユーザを、同じ関連コミュニティに分類するステップと；を備える、
請求項７に記載のターゲットユーザを特定する方法。
【請求項１０】
前記複数のユーザのうち同じ関連コミュニティラベルを持つユーザを、同じ関連コミュニティに分類する前記ステップの前に：
前記ユーザの関連コミュニティラベル更新カウントを入手するステップと；
前記ユーザの前記関連コミュニティラベル更新カウントが所定のカウント閾値よりも高いかどうかを特定するステップと；を更に備え、
前記複数のユーザのうち同じ関連コミュニティラベルを持つユーザを、同じ関連コミュニティに分類する前記ステップは：
前記ユーザの前記関連コミュニティラベル更新カウントが前記所定のカウント閾値よりも高い場合に、前記複数のユーザのうち同じ関連コミュニティラベルを持つユーザを、前記同じ関連コミュニティに分類するステップ；を備える、
請求項９に記載のターゲットユーザを特定する方法。
【請求項１１】
前記複数のユーザのうちの前記ユーザの前記関連コミュニティラベル更新カウントが所定のカウント閾値よりも高いかどうかを特定する前記ステップの後に：
前記ユーザの前記関連コミュニティラベル更新カウントが前記所定のカウント閾値より低い又は等しい場合に、前記ユーザの前記関連コミュニティラベルを、前記ユーザとの関連強さが前記所定閾値よりも高い或るユーザの関連コミュニティラベルへ更新するステップ；を更に備える、
請求項１０に記載のターゲットユーザを特定する方法。
【請求項１２】
請求項７乃至請求項１１のいずれか１項に記載の方法に従って操作を実行するように構成された、複数のユニットを備える、
ターゲットユーザを特定するデバイス。
【手続補正２】
【補正対象書類名】明細書
【補正対象項目名】０１７１
【補正方法】変更
【補正の内容】
【０１７１】
上記の説明は、単なる本願の実施であり、本願を限定することを意図するものではない。当業者にとって、本願は様々な修正及び変更を加えることができる。本願の精神及び原理内でなされた任意の修正、均等物の置換、改良などは、本願の特許請求の範囲に含まれるものである。
［第１の局面］
所定条件を満たす複数のユーザを獲得するステップと；
前記複数のユーザ間の関連強さと、前記複数のユーザの影響とに基づいて、所定情報のプッシュ先であるユーザを、前記複数のユーザの中から選択するステップと；
前記所定情報のプッシュ先であるユーザに情報をプッシュするステップと；を備える、
情報をプッシュする方法。
［第２の局面］
前記複数のユーザ間の関連強さと、複数のユーザの影響とに基づいて、所定情報のプッシュ先であるユーザを、前記複数のユーザの中から選択する前記ステップは：
前記複数のユーザ間の前記関連強さに基づいて、前記複数のユーザを種々の関連コミュニティに分類するステップであって、各関連コミュニティに格納されているユーザ間の関連強さは所定の閾値よりも高い、前記分類するステップと；
所定の影響条件を満たす影響を持つユーザを、前記種々の関連コミュニティから個別に選択し、前記所定の影響条件を満たす影響を持つ前記ユーザを、所定情報のプッシュ先であるユーザとして特定するステップと；を備える、
第１の局面に記載の情報をプッシュする方法。
［第３の局面］
前記複数のユーザ間の関連強さに基づいて、前記複数のユーザを、種々の関連コミュニティに分類する前記ステップの前に：
前記複数のユーザの初期関連コミュニティラベルを入手するステップを更に備え；
前記複数のユーザ間の関連強さに基づいて、前記複数のユーザを、種々の関連コミュニティに分類する前記ステップは：
前記複数のユーザにおける各ユーザの前記初期関連コミュニティを、前記ユーザとの関連強さが前記所定閾値よりも高い或るユーザの関連コミュニティラベルへ更新するステップと；
前記複数のユーザのうち同じ関連コミュニティラベルを持つユーザを、同じ関連コミュニティに分類するステップと；を備える、
第２の局面に記載の情報をプッシュする方法。
［第４の局面］
前記複数のユーザのうち同じ関連コミュニティラベルを持つユーザを、同じ関連コミュニティに分類する前記ステップの前に：
前記ユーザの関連コミュニティラベル更新カウントを入手するステップと；
前記ユーザの前記関連コミュニティラベル更新カウントが所定のカウント閾値よりも高いかどうかを特定するステップと；を更に備え、
前記複数のユーザのうち同じ関連コミュニティラベルを持つユーザを、同じ関連コミュニティに分類する前記ステップは：
前記ユーザの前記関連コミュニティラベル更新カウントが前記所定のカウント閾値よりも高い場合に、前記複数のユーザのうち同じ関連コミュニティラベルを持つユーザを、前記同じ関連コミュニティに分類するステップを備える、
第３の局面に記載の情報をプッシュする方法。
［第５の局面］
前記複数のユーザのうちの前記ユーザの関連コミュニティラベル更新カウントが所定のカウント閾値より高いかどうかを特定する前記ステップの後に：
前記ユーザの前記関連コミュニティ更新カウントが前記所定のカウント閾値より低い又は等しい場合には、前記ユーザの前記関連コミュニティラベルを、前記ユーザとの関連強さが前記所定閾値よりも高い或るユーザの関連コミュニティラベルへ更新するステップを更に備える、
第４の局面に記載の情報をプッシュする方法。
［第６の局面］
前記影響が影響指数情報であり、
種々の関連コミュニティから、所定の影響条件を満たす影響を持つユーザを個別に選択することは：
前記種々の関連コミュニティから、所定の影響指数情報より高い又は等しい影響指数情報を持つユーザを個別に選択するステップを備える、
第２の局面に記載の情報をプッシュする方法。
［第７の局面］
所定条件を満たす複数のユーザを獲得するよう構成された取得ユニットと；
前記取得ユニットが獲得した前記複数のユーザ間の関連強さと、前記複数のユーザの影響とに基づいて、所定情報のプッシュ先であるユーザを、前記複数のユーザの中から選択するよう構成された選択ユニットと；
所定情報のプッシュ先であり、前記選択ユニットにより選択された前記ユーザに情報をプッシュするよう構成されたプッシュユニットと；を備える、
情報をプッシュするデバイス。
［第８の局面］
前記選択ユニットは：
前記取得ユニットが獲得した前記複数のユーザ間の前記関連強さに基づいて、前記複数のユーザを種々の関連コミュニティに分類するよう構成された分類サブユニットであって、各関連コミュニティに格納されている前記ユーザ間の前記関連強さは所定閾値よりも高い、前記分類サブユニットと；
前記分類サブユニットによる分類を介して前記種々の関連コミュニティから、所定の影響条件を満たす影響を持つユーザを個別に選択するよう構成された選択サブユニットと；
前記所定の影響条件を満たす影響を持ち、前記選択サブユニットにより選択された前記ユーザを、所定情報のプッシュ先であるユーザとして特定するよう構成された特定サブユニットと；を備える、
第７の局面に記載の情報をプッシュするデバイス。
［第９の局面］
前記選択ユニットは取得サブユニットを更に備え；
前記取得サブユニットは、前記複数のユーザの初期関連コミュニティラベルを入手するよう構成され；
前記分類サブユニットは：
前記複数のユーザにおける各ユーザの前記初期関連コミュニティラベルを、前記ユーザとの関連強さが前記所定閾値よりも高い或るユーザの関連コミュニティラベルへ更新するよう構成された更新モジュールと；
前記複数のユーザのうち同じ関連コミュニティラベルを持つユーザを、同じ関連コミュニティに分類するよう構成された分類モジュールと；を備える、
第８の局面に記載の情報をプッシュするデバイス。
［第１０の局面］
前記分類サブユニットは、取得モジュールと特定モジュールとを更に備え；
前記取得モジュールは、前記ユーザの関連コミュニティラベル更新カウントを入手するよう構成され；
前記特定モジュールは、前記取得モジュールが入手した前記ユーザの前記関連コミュニティラベル更新カウントが所定のカウント閾値より高いかどうかを特定するよう構成され；
前記分類モジュールは、前記ユーザの前記関連コミュニティラベル更新カウントが前記所定のカウント閾値よりも高い、と前記特定モジュールが特定した場合に、前記複数のユーザのうち同じ関連コミュニティラベルを持つユーザを、前記同じ関連コミュニティに分類するよう構成された、
第９の局面に記載の情報をプッシュするデバイス。
［第１１の局面］
前記更新モジュールは、前記ユーザの前記関連コミュニティラベル更新カウントが前記所定のカウント閾値より小さい又は等しい、と前記特定モジュールが特定した場合に、前記ユーザの前記関連コミュニティラベルを、前記ユーザとの関連強さが前記所定閾値よりも高い或るユーザの関連コミュニティラベルへ更新するよう更に構成された、
第１０の局面に記載の情報をプッシュするデバイス。
［第１２の局面］
前記選択サブユニットは、前記影響が影響指数情報である場合に、所定の影響指数情報より高い又は等しい影響指数情報を持つ或るユーザを、前記種々の関連コミュニティから個別に選択するよう構成された、
第８の局面に記載の情報をプッシュするデバイス。
［第１３の局面］
所定条件を満たす複数のユーザを獲得するステップと；
前記複数のユーザにそれぞれ対応する影響に基づき、所定の影響条件を満たす影響を持つユーザを、前記複数のユーザの中から選択するステップと；
前記所定の影響条件を満たす影響を持つ前記ユーザを、ターゲットユーザとして特定するステップと；を備える、
ターゲットユーザを特定する方法。
［第１４の局面］
所定条件を満たす複数のユーザを獲得する前記ステップは：
所定のスコアリングモデルを用いて、前記所定条件を満たすスコアを持つ複数のユーザを選択するステップを備える、
第１３の局面に記載のターゲットユーザを特定する方法。
［第１５の局面］
所定の影響条件を満たす影響を持つユーザを、前記複数のユーザの中から選択する前記ステップは：
所定の影響レベルテーブルと、前記複数のユーザにそれぞれ対応する影響とに基づいて、前記複数のユーザの影響レベルを特定するステップであって、前記所定の影響レベルテーブルは、種々の影響レベルに対応する影響閾値インターバルを格納する、前記特定するステップと；
前記複数のユーザのうち所定レベルより高い又は等しい影響レベルを持つユーザを、前記所定の影響条件を満たす影響を持つユーザとして特定するステップと；を備える、
第１３の局面に記載のターゲットユーザを特定する方法。
［第１６の局面］
前記複数のユーザのうち所定レベルより高い又は等しい影響レベルを持つユーザを、前記所定の影響条件を満たす影響を持つユーザとして特定する前記ステップの前に：
前記複数のユーザ間の関連強さに基づいて、前記複数のユーザを種々の関連コミュニティに分類するステップであって、各関連コミュニティに格納されているユーザ間の関連強さは所定閾値よりも高い、前記分類するステップ；を更に備え、
前記複数のユーザのうち所定レベルより高い又は等しい影響レベルを持つユーザを、前記所定の影響条件を満たす影響を持つユーザとして特定する前記ステップは：
前記種々の関連コミュニティにおいて前記所定レベルより高い又は等しい影響レベルを持つユーザを、前記所定の影響条件を満たす影響を持つユーザとして特定するステップを備える、
第１５の局面に記載のターゲットユーザを特定する方法。
［第１７の局面］
所定条件を満たす複数のユーザを獲得する前記ステップの前に：
種々の影響レベルと種々の影響閾値インターバルとの間にマッピング関係を確立するステップと；
前記マッピング関係を、前記所定の影響レベルテーブルに格納するステップと；を更に備える、
第１５の局面に記載のターゲットユーザを特定する方法。
［第１８の局面］
前記複数のユーザ間の関連強さに基づいて、前記複数のユーザを種々の関連コミュニティに分類する前記ステップの前に：
前記複数のユーザの初期関連コミュニティラベルを入手するステップを更に備え、
前記複数のユーザ間の関連強さに基づいて、前記複数のユーザを種々の関連コミュニティに分類する前記ステップは： 
前記複数のユーザにおける各ユーザの前記初期関連コミュニティラベルを、前記ユーザとの関連強さが前記所定閾値よりも高い或るユーザの関連コミュニティラベルへ更新するステップと；
前記複数のユーザのうち同じ関連コミュニティラベルを持つユーザを、同じ関連コミュニティに分類するステップと；を備える、
第１６の局面に記載のターゲットユーザを特定する方法。
［第１９の局面］
前記複数のユーザのうち同じ関連コミュニティラベルを持つユーザを、同じ関連コミュニティに分類する前記ステップの前に：
前記ユーザの関連コミュニティラベル更新カウントを入手するステップと；
前記ユーザの前記関連コミュニティラベル更新カウントが所定のカウント閾値よりも高いかどうかを特定するステップと；を更に備え、
前記複数のユーザのうち同じ関連コミュニティラベルを持つユーザを、同じ関連コミュニティに分類する前記ステップは：
前記ユーザの前記関連コミュニティラベル更新カウントが前記所定のカウント閾値よりも高い場合に、前記複数のユーザのうち同じ関連コミュニティラベルを持つユーザを前記同じ関連コミュニティに分類するステップを備える、
第１８の局面に記載のターゲットユーザを特定する方法。
［第２０の局面］
前記複数のユーザのうちの前記ユーザの前記関連コミュニティラベル更新カウントが所定のカウント閾値よりも高いかどうかを特定する前記ステップの後に：
前記ユーザの前記関連コミュニティラベル更新カウントが前記所定のカウント閾値より低い又は等しい場合に、前記ユーザの前記関連コミュニティラベルを、前記ユーザとの関連強さが前記所定閾値よりも高い或るユーザの関連コミュニティラベルへ更新するステップを更に備える、
第１９の局面に記載のターゲットユーザを特定する方法。
［第２１の局面］
所定条件を満たす複数のユーザを獲得するよう構成された取得ユニットと；
前記取得ユニットが獲得した前記複数のユーザにそれぞれ対応する影響に基づいて、所定の影響条件を満たす影響を持つユーザを、前記複数のユーザの中から選択するよう構成された選択ユニットと；
影響情報が前記所定の影響条件を満たし、前記選択ユニットにより選択された前記ユーザをターゲットユーザとして特定するよう構成された特定ユニットと；を備える、
ターゲットユーザを特定するデバイス。
［第２２の局面］
前記取得ユニットは、所定のスコアリングモデルを用いて、前記所定条件を満たすスコアを持つ複数のユーザを選択するよう構成された、
第２１の局面に記載のターゲットユーザを特定するデバイス。
［第２３の局面］
前記選択ユニットは：
所定の影響レベルテーブルと、前記複数のユーザにそれぞれ対応した前記影響とに基づいて、前記複数のユーザの影響レベルを特定するよう構成された特定サブユニットであって、前記所定の影響レベルテーブルは、種々の影響レベルにそれぞれ対応する影響閾値インターバルを格納する、前記特定サブユニットを備え、
前記特定サブユニットは、前記複数のユーザのうち所定レベルより高い又は等しい影響レベルを持つユーザを、前記所定の影響条件を満たす影響を持つユーザとして特定するよう更に構成された、
第２１の局面に記載のターゲットユーザを特定するデバイス。
［第２４の局面］
前記選択ユニットは分類サブユニットを更に備え；
前記分類サブユニットは、前記複数のユーザを、前記複数のユーザ間の関連強さに基づいて種々の関連コミュニティに分類するよう構成され、前記関連コミュニティに格納されているユーザ間の関連強さは所定の閾値よりも高く；
前記特定サブユニットは、前記種々の関連コミュニティにおける前記所定レベルより高い又は等しい影響レベルを持つユーザを前記ターゲットユーザとして特定するよう構成された、
第２３の局面に記載のターゲットユーザを特定するデバイス。
［第２５の局面］
種々の影響レベルと種々の影響閾値インターバルとの間にマッピング関係を確立するよう構成された確立ユニットと；
前記マッピング関係を前記所定の影響レベルテーブルに格納するよう構成された格納ユニットと；を更に備える、
第２３の局面に記載のターゲットユーザを特定するデバイス。
［第２６の局面］
前記選択ユニットは取得サブユニットを更に備え；
前記取得サブユニットは、前記複数のユーザの初期関連コミュニティラベルを入手するよう構成され；
前記分類サブユニットは：
前記複数のユーザにおける各ユーザの前記初期関連コミュニティラベルを、前記ユーザとの関連強さが前記所定閾値よりも高い或るユーザの関連コミュニティラベルへ更新するよう構成された更新モジュールと；
前記複数のユーザのうち同じ関連コミュニティラベルを持つユーザを同じ関連コミュニティに分類するよう構成された分類モジュールと；を備える、
第２４の局面に記載のターゲットユーザを特定するデバイス。
［第２７の局面］
前記分類サブユニットは、取得モジュールと特定モジュールとを更に備え；
前記取得モジュールは、前記ユーザの関連コミュニティラベル更新カウントを入手するよう構成され；
前記特定モジュールは、前記取得モジュールが入手した前記ユーザの前記関連コミュニティラベル更新カウントが所定のカウント閾値よりも高いかどうかを特定するよう構成され；
前記分類モジュールは、前記ユーザの前記関連コミュニティラベル更新カウントが前記所定のカウント閾値より高い、と前記特定モジュールが特定した場合に、前記複数のユーザのうち前記同じ関連コミュニティレベルを持つユーザを、前記同じ関連コミュニティに分類するよう構成された、
第２６の局面に記載のターゲットユーザを特定するデバイス。
［第２８の局面］
前記更新モジュールは、前記ユーザの前記関連コミュニティラベル更新カウントが前記所定のカウント閾値より低い又は等しい、と前記特定モジュールが特定した場合に、前記ユーザの前記関連コミュニティラベルを、前記ユーザとの関連強さが前記所定閾値よりも高い或るユーザの関連コミュニティラベルへ更新するよう更に構成された、
第２７の局面に記載のターゲットユーザを特定するデバイス。